(57)【特許請求の範囲】
【請求項１】
空気調和機と外部機器とを接続する空調機制御インターフェース装置であって、
前記空気調和機との間で情報を授受する空調機情報入出力部と、
前記外部機器との間で情報を授受する外部機器情報入出力部と、
外部記録媒体に記憶された、前記外部機器から前記空気調和機へ伝達される空調機操作情報と前記空気調和機から前記外部機器へ伝達される運転情報との定義と、当該空調機操作情報および前記運転情報の授受形式とを記述したインターフェース制御情報を前記外部記録媒体から取得するインターフェース制御情報入出力部と、
前記インターフェース制御情報に基づいて、前記外部機器から前記外部機器情報入出力部を経由して入力される前記空調機操作情報を前記空調機情報入出力部へ伝達し、前記空気調和機から前記空調機情報入出力部経由で入力される前記運転情報を前記外部機器情報入出力部へ伝達するインターフェース制御部と、
を備えることを特徴とする空調機制御インターフェース装置。
【請求項２】
前記インターフェース制御情報は、公開された空気調和機と外部機器との間で授受可能な情報を示す変数情報と公開された制御論理記述形式とに基づいてユーザーにより任意に設定可能とする、ことを特徴とする請求項１に記載の空調機制御インターフェース装置。
【請求項３】
インターフェース制御情報を格納するための補助記憶部、
をさらに備え、
前記インターフェース制御部は、前記インターフェース制御情報入出力部が取得した前記インターフェース制御情報を前記補助記憶部へ格納する、ことを特徴とする請求項１または２に記載の空調機制御インターフェース装置。
【請求項４】
インターフェース制御情報を外部記録媒体へ書き込む指示の入力を受け付ける入力部、
をさらに備え、
前記インターフェース制御部は、前記入力部が前記インターフェース制御情報を外部記録媒体へ書き込む指示の入力を受け付けた場合、前記補助記憶部へ格納された前記インターフェース制御情報を読み出して外部記録媒体へ書き込む、ことを特徴とする請求項１、２または３に記載の空調機制御インターフェース装置。
【請求項５】
前記インターフェース制御情報は、前記インターフェース制御情報を作成する情報処理装置が標準装備するソフトウェアを用いて作成される、ことを特徴とする請求項１〜４のいずれか１つに記載の空調機制御インターフェース装置。
【請求項６】
前記インターフェース制御情報は、前記インターフェース制御情報を作成する情報処理装置が備える前記インターフェース制御情報を作成する専用ソフトウェアを用いて作成される、ことを特徴とする請求項１または２に記載の空調機制御インターフェース装置。
【請求項７】
前記インターフェース制御情報は、操作端末である情報処理装置に接続するサーバーが備える前記インターフェース制御情報を作成する専用ソフトウェアを用いて作成される、ことを特徴とする請求項１または２に記載の空調機制御インターフェース装置。
【請求項８】
前記専用ソフトウェアは、前記インターフェース制御情報をコンパイルして制御命令に変換し、
前記インターフェース制御情報入出力部は、前記インターフェース制御情報として前記制御命令を取得する、ことを特徴とする請求項６または７に記載の空調機制御インターフェース装置。
【請求項９】
前記インターフェース制御情報は、情報処理装置が備える前記インターフェース制御情報を作成する専用ソフトウェアを用いて作成される、ことを特徴とする請求項３または４に記載の空調機制御インターフェース装置。
【請求項１０】
前記インターフェース制御情報は、操作端末である情報処理装置に接続するサーバーが備える前記インターフェース制御情報を作成する専用ソフトウェアを用いて作成される、ことを特徴とする請求項３または４に記載の空調機制御インターフェース装置。
【請求項１１】
前記専用ソフトウェアは、前記インターフェース制御情報をコンパイルして制御命令に変換し、
前記インターフェース制御情報入出力部は、前記インターフェース制御情報として前記制御命令を取得する、ことを特徴とする請求項９または１０に記載の空調機制御インターフェース装置。
【請求項１２】
前記専用ソフトウェアは、前記制御命令をリコンパイルする、ことを特徴とする請求項９、１０または１１に記載の空調機制御インターフェース装置。
【請求項１３】
前記インターフェース制御情報入出力部を、前記情報処理装置により作成された前記インターフェース制御情報を前記情報処理装置との通信により取得する情報処理装置外部入出力部とする、ことを特徴とする請求項１〜１２のいずれか１つに記載の空調機制御インターフェース装置。
【請求項１４】
請求項１〜１３のいずれか１つに記載の空調機制御インターフェース装置としての機能を有することを特徴とする、空気調和機。
【請求項１５】
空気調和機と外部機器とを接続する空調機制御インターフェース装置と、
情報処理装置と、
を備え、
前記空調機制御インターフェース装置は、
前記空気調和機との間で情報を授受する空調機情報入出力部と、
前記外部機器との間で情報を授受する外部機器情報入出力部と、
外部記録媒体に記憶された、前記外部機器から前記空気調和機へ伝達される空調機操作情報と前記空気調和機から前記外部機器へ伝達される運転情報との定義と、当該空調機操作情報および前記運転情報の授受形式とを記述したインターフェース制御情報を前記外部記録媒体から取得するインターフェース制御情報入出力部と、
前記インターフェース制御情報に基づいて、前記外部機器から前記外部機器情報入出力部を経由して入力される前記空調機操作情報を前記空調機情報入出力部へ伝達し、前記空気調和機から前記空調機情報入出力部経由で入力される前記運転情報を前記外部機器情報入出力部へ伝達するインターフェース制御部と、
を備え、
前記情報処理装置は、前記インターフェース制御情報を作成する、ことを特徴とする空調機制御システム。
【請求項１６】
空気調和機と外部機器とを接続する空調機制御インターフェース装置と、
情報処理装置と、
前記情報処理装置と接続するサーバーと、
を備え、
前記空調機制御インターフェース装置は、
前記空気調和機との間で情報を授受する空調機情報入出力部と、
前記外部機器との間で情報を授受する外部機器情報入出力部と、
外部記録媒体に記憶された、前記外部機器から前記空気調和機へ伝達される空調機操作情報と前記空気調和機から前記外部機器へ伝達される運転情報との定義と、当該空調機操作情報および前記運転情報の授受形式とを記述したインターフェース制御情報を前記外部記録媒体から取得するインターフェース制御情報入出力部と、
前記インターフェース制御情報に基づいて、前記外部機器から前記外部機器情報入出力部を経由して入力される前記空調機操作情報を前記空調機情報入出力部へ伝達し、前記空気調和機から前記空調機情報入出力部経由で入力される前記運転情報を前記外部機器情報入出力部へ伝達するインターフェース制御部と、
を備え、
前記サーバーは、
前記インターフェース制御情報を生成する専用ソフトウェア、
を備え、
前記空調機制御インターフェース装置は、前記情報処理装置を介して前記専用ソフトウェアにより生成された前記インターフェース制御情報を取得する、ことを特徴とする空調機制御システム。
【請求項１７】
空気調和機と外部機器とを接続する空調機制御インターフェース装置と、
情報処理装置と、
情報共有サーバーと、
を備え、
前記空調機制御インターフェース装置は、
前記空気調和機との間で情報を授受する空調機情報入出力部と、
前記外部機器との間で情報を授受する外部機器情報入出力部と、
外部記録媒体に記憶された、前記外部機器から前記空気調和機へ伝達される空調機操作情報と前記空気調和機から前記外部機器へ伝達される運転情報との定義と、当該空調機操作情報および前記運転情報の授受形式とを記述したインターフェース制御情報を前記外部記録媒体から取得するインターフェース制御情報入出力部と、
前記インターフェース制御情報に基づいて、前記外部機器から前記外部機器情報入出力部を経由して入力される前記空調機操作情報を前記空調機情報入出力部へ伝達し、前記空気調和機から前記空調機情報入出力部経由で入力される前記運転情報を前記外部機器情報入出力部へ伝達するインターフェース制御部と、
を備え、
前記情報処理装置は、前記インターフェース制御情報を作成し、作成した前記インターフェース制御情報を前記情報共有サーバーへ送信し、
前記情報共有サーバーは、前記情報処理装置から受信した前記インターフェース制御情報を保持し、前記情報処理装置の要求に応じて保持している前記インターフェース制御情報を当該情報処理装置へ送信する、ことを特徴とする空調機制御システム。
【発明の詳細な説明】
【技術分野】
【０００１】
本発明は、空気調和機と外部機器を接続する空調機制御インターフェース装置、空気調和機および空調機制御システムに関する。
【背景技術】
【０００２】
空気調和機の運転情報や制御情報等の情報を外部機器（例えば、パーソナルコンピュータ、カードキー、コインタイマー、汎用集中コントローラ等）に出力する際には、簡素な構成とする場合には外部出力情報が固定されている場合がある。また、外部機器へ出力する情報を増やすためには、例えば、複数の外部機器出力部を備えたり、スイッチやジャンパー線等で出力内容を切り替えたりの対応が行われることがある。
【０００３】
また、ユーザーの使用環境に併せて自動で制御プログラムを作成し、制御情報等を書き換えるもの（例えば、特許文献１参照）や、ワイヤレスリモコンやキースイッチを用いてＥＥＰＲＯＭ（Electrically  Erasable  Programmable  Read  Only  Memory）等の補助記憶装置のデータを書き換えるものもある（例えば、特許文献２参照）。
【０００４】
運転情報等を外部機器との間で入出力する場合、空気調和機がこの入出力の機能を備える場合もあり、また空調機制御インターフェース（空調機制御インターフェース装置）を介して情報の入出力を行う場合もある。
【先行技術文献】
【特許文献】
【０００５】
【特許文献１】特開２００２−２２２４８号公報
【特許文献２】特開平６−２２１６５３号公報
【発明の概要】
【発明が解決しようとする課題】
【０００６】
しかしながら、上記従来の技術によれば、構成を簡素化すると入出力内容が限定され、一方、出力内容を増やすためには、複数の外部機器出力部を備えることになり空気調和機の制御基板や空調機制御インターフェースが大型化し、また出力内容を切り替えるために、空気調和機の制御基板や空調機制御インターフェースの基板上に複数のスイッチやジャンパー線を備えることになる。このため、基板が大型化しコストが増加する、という問題があった。また、基板の大型化やコストが増加を抑えるためには、入出力内容が固定されることになり、入出力情報をユーザーが任意にカスタマイズすることができないために用途が限定される問題やユーザーやサービス提供者が作成した制御情報を共有できない問題があり、拡張性に乏しく多様なニーズに柔軟に対応することができない。また、入出力する情報を固定すると、情報が異なるごとに空気調和機の制御基板や空調機制御インターフェースのソフトウェアやハードウェアを変更する必要がある。
【０００７】
また、上記特許文献１および２に記載の方法では、ユーザーの使用環境に併せて自動で制御プログラムを作成したり、ワイヤレスリモコンやキースイッチを用いてＥＥＰＲＯＭ等の補助記憶装置を書き換えたりする必要が有り、空調機本体のコストが増加する、という問題がある。
【０００８】
この発明は、上記に鑑みてなされたものであって、コスト増加を抑えて空調機の外部入出力情報について多様なニーズに対応することができる空調機制御インターフェース装置、空気調和機および空調機制御方法を得ることを目的とする。
【０００９】
また、多様なニーズに対応するとともに、ソフトウェア及びハードウェアを共通化することができる空調機制御インターフェース装置、空気調和機および空調機制御方法を得ることを目的とする。
【課題を解決するための手段】
【００１０】
上述した課題を解決し、目的を達成するために、本発明は、空気調和機と外部機器とを接続する空調機制御インターフェース装置であって、前記空気調和機との間で情報を授受する空調機情報入出力部と、前記外部機器との間で情報を授受する外部機器情報入出力部と、外部記録媒体に記憶された、前記外部機器から前記空気調和機へ伝達される空調機操作情報と前記空気調和機から前記外部機器へ伝達される運転情報との定義と、当該空調機操作情報および前記運転情報の授受形式とを記述したインターフェース制御情報を前記外部記録媒体から取得するインターフェース制御情報入出力部と、前記インターフェース制御情報に基づいて、前記外部機器から前記外部機器情報入出力部を経由して入力される前記空調機操作情報を前記空調機情報入出力部へ伝達し、前記空気調和機から前記空調機情報入出力部経由で入力される前記運転情報を前記外部機器情報入出力部へ伝達するインターフェース制御部と、を備えることを特徴とする。
【発明の効果】
【００１１】
本発明によれば、コスト増加を抑えて空調機の外部入出力情報について多様なニーズに対応することができる、という効果を奏する。また、ソフトウェア及びハードウェアを共通化することができる。
【図面の簡単な説明】
【００１２】
【図１】図１は、実施の形態１の空調機制御インターフェースの実施の形態１の機能構成例を示す図である。
【図２】図２は、実施の形態２の情報処理装置の構成例を示す図である。
【図３】図３は、実施の形態２の公開される運転情報等の変数の一例を示す図である。
【図４】図４は、実施の形態２の制御論理記述情報の一例を示す図である。
【図５】図５は、実施の形態３の情報処理装置の構成例を示す図である。
【図６】図６は、実施の形態４の空調機制御システムの構成例を示す図である。
【図７】図７は、実施の形態５の空調機制御システムの構成例を示す図である。
【図８】図８は、実施の形態６の情報処理装置の構成例を示す図である。
【図９】図９は、実施の形態７の空調機制御インターフェースの機能構成例を示す図である。
【図１０】図１０は、実施の形態８の空調機制御インターフェースの機能構成例を示す図である。
【図１１】図１１は、実施の形態９の情報処理装置の構成例を示す図である。
【図１２】図１２は、実施の形態１０の空調機制御システムの構成例を示す図である。
【発明を実施するための形態】
【００１３】
以下に、本発明にかかる空調機制御インターフェース装置、空気調和機および空調機制御方法の実施の形態を図面に基づいて詳細に説明する。なお、この実施の形態によりこの発明が限定されるものではない。
【００１４】
実施の形態１．
図１は、本発明にかかる空調機制御インターフェース（空調機制御インターフェース装置）１の実施の形態１の機能構成例を示す図である。図１に示すように、本実施の形態の空調機制御インターフェース１は、インターフェース制御部２と、外部機器との情報を授受する外部機器情報入出力部３と、空調機との情報を授受する空調機情報入出力部４と、外部記録媒体入出力部（インターフェース制御情報入出力部）５と、を備える。本実施の形態の空調機制御インターフェース１は、空気調和機（以下、空調機と略す）と接続された場合に、空調機との間で運転情報等の授受を行うとともに、外部機器と接続された場合に、外部機器との間で運転情報等の授受を行う。
【００１５】
外部記録媒体入出力部５は、外部記録媒体６を収容可能であり、外部記録媒体６が収容された場合は、外部記録媒体６と接続される。外部記録媒体６には、ユーザーが任意に生成したインターフェース制御情報７が格納されている。外部記録媒体入出力部５は、外部記録媒体６からインターフェース制御情報７を読み出してインターフェース制御部２へ入力する。インターフェース制御情報７は、空調機の運転情報を外部機器に伝達したり、外部機器からの空調機操作情報を空調機に伝達したりする、空調機と外部機器との間の情報のやり取りの動作を実行するための情報（例えば、コンパイルにより実行形式となるソースコード等）である。すなわち、インターフェース制御情報７は、空調機と外部機器との間で授受される情報の定義と授受方法を記述した情報である。空調機から取得する情報や外部機器から空調機へ伝達する情報をインターフェース制御情報７によって定義しておく。
【００１６】
インターフェース制御部２は、外部記録媒体入出力部５から入力されるインターフェース制御情報７を解釈して空調機のインターフェース制御を行うための制御命令へ変換するコンパイラ８、を備える。
【００１７】
次に、本実施の形態の動作について説明する。本実施の形態の空調機制御インターフェース１においては、空調機情報入出力部４は、空調機の運転情報等の空調機から出力される情報をインターフェース制御部２へ入力し、外部機器から入力された操作情報等を空調機へ出力する。外部機器情報入出力部３は、空調機の運転情報等の空調機から出力される情報を外部機器へ出力し、また外部機器から入力される操作情報等の情報をインターフェース制御部２へ入力する。
【００１８】
外部記録媒体６は、ユーザーが任意に作成したインターフェース制御情報７を格納している。外部記録媒体入出力部５は、外部記録媒体６からインターフェース制御情報７を読み出し、読み出したインターフェース制御情報７をインターフェース制御部２へ入力する。
【００１９】
インターフェース制御部２は、コンパイラ８を用いてインターフェース制御情報７を制御命令として解釈し、制御命令に従った動作を実施する。具体的には、制御命令に基づいて空調機情報入出力部４経由で空調機から得た運転情報等を外部機器情報入出力部３経由で外部機器へ出力し、制御命令に基づいて外部機器情報入出力部３から得た空調機操作情報等を空調機情報入出力部４経由で空調機へ伝達する。
【００２０】
以上のように、本実施の形態では、インターフェース制御部２は、ユーザーが任意に設定したインターフェース制御情報７を解釈して、解釈した内容に基づいて空調機の運転情報等を外部機器に伝達し、外部機器からの空調機操作情報等を空調機に伝達するようにした。そのため、複数の外部機器入出力部を有する必要がなく、またスイッチやジャンパー線等の外部機器入出力情報の切替手段を有する必要がなく、コスト増加を抑えて空調機の外部入出力情報について多様なニーズに対応することができる。また、インターフェース制御情報７を変更するたけで授受する情報の定義や入出力方法を変更することができるため、空調機の機種や外部機器の種類等によらずに空調機制御インターフェース装置１のソフトウェアやハードウェアを共通化して、多様なユーザーニーズに対応することができる。
【００２１】
実施の形態２．
次に本発明にかかる実施の形態２の空気調和機の制御方法について説明する。実施の形態１では、外部記録媒体６にユーザーやサービス提供者が予めインターフェース制御情報７を格納しているとして説明した。本実施の形態では、ユーザーやサービス提供者がインターフェース制御情報７を作成する方法を説明する。
【００２２】
図２は、本実施の形態の情報処理装置１０の構成例を示す図である。情報処理装置１０は、実施の形態１の空調機制御インターフェース１とともに空気調和機の制御システム（空調機制御システム）を構成する。また、空調機制御システムは、空気調和機とともに空調システムを構成する。図３は、本実施の形態の公開される運転情報等の変数の一例を示す図である。図４は、本実施の形態の公開される制御論理記述形式に基づく制御論理記述情報の一例を示す図である。
【００２３】
情報処理装置１０は、例えば一般的な計算機であり、ＣＰＵ（Central  Processing  Unit）等の制御手段、キーボードやモニタ等の入出力手段、情報を記憶する記憶手段等を備える。また、情報処理装置１０は、標準的に装備されるテキストエディタ１１と、外部記録媒体に情報を書き込みまた外部記録媒体に書き込まれた情報を読み出す外部記録媒体入出力部１２と、を備える。テキストエディタ１１は、情報処理装置１０の制御手段により動作し、キーボードからの入力により、指定された記憶手段へ格納されている電子ファイル形式の情報をモニタへ出力し、ユーザーの入力に基づいて情報を変更する。
【００２４】
また、情報処理装置１０の記憶手段には、図３に例示したような、空調機の製造元等から公開された定義可能な運転情報、操作情報等の変数の情報である変数情報１３が格納されている。なお、この変数情報１３は、情報処理装置１０の記憶手段に記憶されている必要はなく、ユーザーが認識していればよい。例えば、紙媒体等により変数情報１３が公開され、ユーザーがそれを把握していてもよい。
【００２５】
また、情報処理装置１０の記憶手段には、これらの変数を組み合せて制御論理式を記述するための図４に示すような制御論理記述情報１４が格納されている。制御論理記述情報１４を生成するための制御論理記述形式、および制御論理記述情報１４のサンプルのソースコードは、空調機の製造元等から公開されることとする。
【００２６】
ユーザーは、テキストエディタ１１により、空調機の製造元等から公開された変数情報１３および制御論理記述形式に基づいて制御論理記述情報１４を生成したり、またはあらかじめ標準的に製造元等からサンプルのソースコードとして提供される制御論理記述情報１４を編集したりする。そして、生成または編集された制御論理記述情報１４は、インターフェース制御情報７として外部媒体に記憶される。そして、この外部媒体を実施の形態１で述べた外部記録媒体入出力部５に接続することにより、実施の形態１の動作を実施することができる。
【００２７】
なお、ここでは、情報処理装置１０が標準装置するテキストエディタ１１を用いてインターフェース制御情報７を作成するようにしたが、これに限らず情報処理装置１０が標準装備するソフトウェアであれば他のソフトウェアを用いてインターフェース制御情報７を作成してもよい。
【００２８】
このように、予め公開された空調機の運転情報や操作情報を表す変数や制御論理記述形式を用いて、ユーザーやサービス提供者が任意にインターフェース制御情報７を作成できるようにした。そのため、専用のソフトウェアやハードウェアを用いずに、実施の形態１と同様の効果を得ることができ、多様なユーザーニーズに対応することができる。
【００２９】
実施の形態３．
次に本発明にかかる実施の形態３の空気調和機の制御方法について説明する。実施の形態２では、ユーザーやサービス提供者が公開された変数や制御論理記述形式を用いて情報処理装置１０が標準的に備えているテキストエディタ１１によりインターフェース制御情報７を作成した。テキストエディタ１１を用いる場合、追加のコストが必要ないという利点があるが、インターフェース制御情報７を作成する際の操作性はよくない場合がある。
【００３０】
図５は、本実施の形態の情報処理装置１０ａの構成例を示す図である。情報処理装置１０ａは、実施の形態１の空調機制御インターフェース１とともに空気調和機の制御システムを構成する。本実施の形態の情報処理装置１０ａは、実施の形態１で述べた情報処理装置１０と同様の機能に加え、さらにインターフェース制御情報７を作成するための専用ソフトウェアツール１５を備える。専用ソフトウェアツール１５は、例えば、空気調和機の製造元等が作成し、ユーザー等により情報処理装置１０ａにインストールされる。
【００３１】
専用ソフトウェアツール１５は、画面表示などによりユーザーが容易にインターフェース制御情報７を作成および更新できるように生成されていればどのような仕様であってもよいが、例えば、設定や追加することが可能な運転情報や操作情報等の一覧を画面に表示し、ユーザーがマウスや画面上のボタンにより容易に選択できるようにする。
【００３２】
専用ソフトウェアツール１５を用いて作成されたインターフェース制御情報７は、実施の形態２と同様に外部媒体に記憶される。そして、この外部媒体を実施の形態１で述べた外部記録媒体入出力部５に接続することにより、実施の形態１の動作を実施することができる。
【００３３】
以上のように、本実施の形態では、インターフェース制御情報７を作成するための専用ソフトウェアツール１５を用いてインターフェース制御情報７を作成するようにした。このため、ユーザーやサービス提供者はインターフェースの制御論理式を自身で考えることなく、容易にインターフェース制御情報７を作成することができる。
【００３４】
実施の形態４．
次に本発明にかかる実施の形態４の空気調和機の制御方法について説明する。実施の形態２、３では、ユーザーやサービス提供者が生成したインターフェース制御情報７を外部媒体へ記憶することにより空調機制御インターフェース１へインターフェース制御情報７を伝達した。そして、空調機制御インターフェース１の外部記録媒体入出力部５が、インターフェース制御情報７を入出力するインターフェース制御情報入出力部として機能した。本実施の形態では、情報処理装置から空調機制御インターフェース１ａへ直接インターフェース制御情報７を伝達する。
【００３５】
図６は、本実施の形態の空調機制御システムの構成例を示す図である。本実施の形態の空調機制御システムは、情報処理装置１０ｂと空調機制御インターフェース１ａを備える。情報処理装置１０ｂは、実施の形態２で述べた専用ソフトウェアツール１５（または実施の形態１で述べたテキストエディタ１１）を備える。情報処理装置１０ｂは、空調機制御インターフェース１ａと接続される。
【００３６】
情報処理装置１０ｂは、標準的な通信機能を有しており、この通信機能によりインターフェース制御情報７を空調機制御インターフェース１ａへ送信する。空調機制御インターフェース１ａは、実施の形態１の外部記録媒体入出力部５の代わりに情報処理装置入出力部１６を備える以外は、実施の形態１の空調機制御インターフェース１と同様である。本実施の形態では、情報処理装置入出力部１６がインターフェース制御情報入出力部として機能する。なお、空調機制御インターフェース１ａは、外部記録媒体入出力部５をさらに備えていてもよい。
【００３７】
空調機制御インターフェース１ａでは、情報処理装置入出力部１６が、情報処理装置１０ｂから送信されたインターフェース制御情報７を受信して所定の受信処理を実施した後にインターフェース制御部２へ出力する。なお、情報処理装置１０ｂの入出力信号と空調機制御インターフェース１ａの入出力信号との形式を変換するための通信変換アダプタを情報処理装置入出力部１６として備えればよい。
【００３８】
以上のように、本実施の形態では、外部記録媒体を介さないで、空調機制御インターフェース１ａが情報処理装置１０ｂからインターフェース制御情報７を直接取得できるようにした。このため、インターフェース制御情報７を格納するための外部記録媒体を用意する必要がなく、またインターフェース制御情報７の授受を速やかに実施することができる。
【００３９】
実施の形態５．
次に本発明にかかる実施の形態５の空気調和機の制御方法について説明する。実施の形態２、３では、情報処理装置１０のテキストエディタ１１や情報処理装置１０ａの専用ソフトウェアツール１５等のソフトウェアによりユーザーやサービス提供者がインターフェース制御情報７を作成したが、本実施の形態では、情報処理装置を介してインターネットにアクセスし、サーバー上のソフトウェアツールによってインターフェース制御情報７を作成する。
【００４０】
図７は、本実施の形態の空調機制御システムの構成例を示す図である。本実施の形態の空調機制御システムは、情報処理装置１０ｃとサーバー１７を備える。情報処理装置１０ｃとサーバー１７はインターネット等のネットワーク１８を介して接続されている。また、図７では、図示していないが、実施の形態１の空調機制御インターフェース１も本実施の形態の空調機制御システムを構成する。なお、ここでは、実施の形態１〜３で述べたように外部記録媒体を介してインターフェース制御情報７を授受するとしたが、情報処理装置１０ｂと空調機制御インターフェース１ａが直接接続される構成に本実施の形態と同様の動作を適用してもよい。
【００４１】
サーバー１７は、ユーザーやサービス提供者が容易にインターフェース制御情報を作成することができる専用ソフトウェアツール１５ａを備える。専用ソフトウェアツール１５ａは、実施の形態３と同様であるが、表示は情報処理装置１０ｃの画面に行い、入力は情報処理装置１０ｃの入力部（キーボード、マウス等）を用いる。
【００４２】
以上のように、本実施の形態では、ユーザーやサービス提供者はサーバー１７上の専用ソフトウェアツール１５ａを用いてインターフェース制御情報７を作成するようにした。そのため、ユーザーやサービス提供者は情報処理装置１０ｃに専用ソフトウェアツールをインストールする等の準備を行う必要がない。また、専用ソフトウェアツール１５ａがバージョンアップした場合にも、ユーザーやサービス提供者が更新のためのソフトウェア等をダウンロードしたりする必要がない。
【００４３】
実施の形態６．
次に本発明にかかる実施の形態６の空気調和機の制御方法について説明する。実施の形態１〜５では、空調機制御インターフェース１（または空調機制御インターフェース１ａ）のインターフェース制御部２のコンパイラ８がインターフェース制御情報７をコンパイルして制御命令を生成した。本実施の形態では、情報処理装置上またはサーバー上でコンパイルを実施する。
【００４４】
図８は、本実施の形態の情報処理装置１０ｄの構成例を示す図である。本実施の形態の情報処理装置１０ｄは、専用ソフトウェアツール１５ｂと、実施の形態２と同様の外部記録媒体入出力部１２と、を備える。専用ソフトウェアツール１５ｂは、実施の形態３の専用ソフトウェアツール１５としての機能を有するとともに、さらにコンパイラ１９を備える。そして、専用ソフトウェアツール１５ｂは、実施の形態３と同様の手順で生成したインターフェース制御情報７をコンパイラ１９により制御命令に変換する。この制御命令は、外部記録媒体入出力部１２により外部記録媒体に記憶される。
【００４５】
そして、空調機制御インターフェース１では、外部記録媒体入出力部５は、制御命令が記憶された外部記録媒体が接続されると、当該制御命令を読み出してインターフェース制御部２へ出力する。なお、本実施の形態では、インターフェース制御部２は、コンパイラ８を備える必要はない。
【００４６】
なお、ここでは、情報処理装置１０ｄから空調機制御インターフェース１へ外部記録媒体を介して制御命令を伝達するようにしたが、実施の形態３と同様に、情報処理装置１０ｄと空調機制御インターフェース１ａを接続して直接送信するようにしてもよい。
【００４７】
また、図８では、情報処理装置１０ｄがコンパイラ１９を備える例を示したが、実施の形態５と同様に、サーバー１７が専用ソフトウェアツール１５ａを備える場合に、サーバー１７の専用ソフトウェアツール１５ａがコンパイラを備え、インターフェース制御情報７を制御命令に変換するようにしてもよい。
【００４８】
以上のように、本実施の形態では、情報処理装置１０ｄまたはサーバー１７が備えるソフトウェアツール上でインターフェース制御情報７をコンパイルするようにした。このため、空調機制御インターフェース１はインターフェース制御情報を解釈するためのコンパイラを備える必要はなく空調機制御インターフェース１の処理を簡素化することができる。また、ユーザーやサービス提供者の記述したインターフェース制御情報７が不正であった場合に、ソフトウェアツール上でコンパイルエラーを認識することができるため、インターフェース制御情報の記述ミスに気づきやすくなる。
【００４９】
実施の形態７．
図９は、本発明にかかる空調機制御インターフェース１ｂの実施の形態７の機能構成例を示す図である。図９に示すように、本実施の形態の空調機制御インターフェース１ｂの構成は、補助記憶装置２０を追加する以外は、実施の形態１の空調機制御インターフェース１と同様である。実施の形態１と同様の機能を有する構成要素は、実施の形態１と同一の符号を付して重複する説明を省略する。
【００５０】
実施の形態１〜６では、空調機制御インターフェース１（または空調機制御インターフェース１ａ）がインターフェース制御情報７を保持しておくためには外部記録媒体６を外部記録媒体入出力部５に取り付けて（接続して）おく必要がある。
【００５１】
本実施の形態では、空調機制御インターフェース１ｂは、外部記録媒体６を外部記録媒体入出力部５から取り外してもインターフェース制御情報７を保持することができるよう、補助記憶装置２０を備える。インターフェース制御部２は、外部記録媒体入出力部５から取得したインターフェース制御情報７を補助記憶装置２０に格納する。また、外部記録媒体入出力部５がインターフェース制御情報７を直接補助記憶装置２０へ格納するようにしてもよい。
【００５２】
なお、ここでは、インターフェース制御情報７を補助記憶装置２０に格納するようにしたが、制御命令（コンパイラ８で生成された、または外部記録媒体や直接の通信により提供された制御命令）を補助記憶装置２０に格納するようにしてもよい。
【００５３】
また、インターフェース制御部２は、外部記録媒体を介さずに、実施の形態４のように直接、情報処理装置１０ｂと接続する場合に、情報処理装置１０ｂから取得したインターフェース制御情報７を補助記憶装置２０に格納するようにしてもよい。
【００５４】
以上のように、本実施の形態では、空調機制御インターフェース１ｂは、補助記憶装置２０を備え、補助記憶装置２０にインターフェース制御情報７を保持することができるようにした。このため、外部記録媒体６を取り外してもユーザーやサービス提供者が設定したインターフェース制御情報７を読み込むことができる。
【００５５】
実施の形態８．
図１０は、本発明にかかる空調機制御インターフェース１ｃの実施の形態８の機能構成例を示す図である。図１０に示すように、本実施の形態の空調機制御インターフェース１ｃの構成は、スイッチ（入力部）２１を追加する以外は、実施の形態７の空調機制御インターフェース１ｂと同様である。実施の形態１または実施の形態７と同様の機能を有する構成要素は、実施の形態１と同一の符号を付して重複する説明を省略する。
【００５６】
本実施の形態では、補助記憶装置２０へ格納されたインターフェース制御情報７を外部記録媒体へ書き込むことを可能とする。空調機制御インターフェース１ｃは、例えばタクトスイッチ等であるスイッチ２１を備え、スイッチ２１が操作されることにより、インターフェース制御部２は、補助記憶装置２０へ格納されたインターフェース制御情報７の外部記録媒体への書き込みを開始する。なお、制御命令が補助記憶装置２０へ格納されている場合も同様にスイッチ２１が操作されることにより、外部記録媒体への書き込みを開始する。
【００５７】
また、インターフェース制御部２は、外部記録媒体を介さずに、実施の形態４のように直接、情報処理装置１０ｂと接続する場合に、補助記憶装置２０から読み出したインターフェース制御情報７を情報処理装置１０ｂへ送信するようにしてもよい。
【００５８】
このように、補助記憶装置２０へ格納されたインターフェース制御情報７を外部記録媒体へ書き込むことにより、例えば、以前に作成されたインターフェース制御情報７が格納された外部記録媒体を紛失する等して、以前に設定したインターフェース制御情報７がない場合にも、再び同一のインターフェース制御情報７を得ることができる。
【００５９】
実施の形態９．
図１１は、本発明にかかる情報処理装置１０ｅの実施の形態９の構成例を示す図である。図１１に示すように、本実施の形態の情報処理装置１０ｅは、専用ソフトウェアツール１５ｂの代わりに専用ソフトウェアツール２２を備える以外は、実施の形態６の情報処理装置１０ｄと同様である。
【００６０】
実施の形態８で述べた空調機制御インターフェース１ｃを用いる場合、補助記憶装置２０に制御命令が格納されていた場合には、外部記録媒体へ格納されても、ユーザーやサービス提供者は、その内容を直接把握することができない。このため、本実施の形態では、専用ソフトウェアツール２２がリコンパイル機能を有することにより、制御命令をリコンパイルして、ユーザーやサービス提供者が制御内容を把握することができる情報に変換する。専用ソフトウェアツール２２は、リコンパイル後のデータを情報処理装置１０ｅのモニタ等に表示することにより、ユーザーやサービス提供者が制御内容を把握できるようにする。
【００６１】
以上のように、本実施の形態では、一度コンパイルされたインターフェース制御情報７を情報処理装置１０ｅがリコンパイルして、再び、ユーザーやサービス提供者が制御情報を認識できるようにした。このため、以前に設定したインターフェース制御情報がコンパイルされた状態で保持されていても、ユーザーやサービス提供者が制御内容を把握することができる。
【００６２】
実施の形態１０．
図１２は、本発明にかかる空調機制御システムの実施の形態１０の構成例を示す図である。図１２に示すように、本実施の形態の空調機制御システムは、情報処理装置１０ｆと、情報共有サーバー２３と、を備える。情報処理装置１０ｆと情報共有サーバー２３はインターネット等のネットワーク１８を介して接続されている。また、図１２では図示していないが、実施の形態１の空調機制御インターフェース１も本実施の形態の空調機制御システムを構成する。なお、ここでは、空調機制御インターフェース１と情報処理装置１０ｆは外部記録媒体を介してインターフェース制御情報７を授受するとして説明するが、実施の形態４のように、情報処理装置１０ｂと空調機制御インターフェース１ａが直接接続される場合に本実施の形態の動作を適用してもよい。
【００６３】
実施の形態１〜９では、各ユーザーやサービス提供者が空気調和機や空調機制御インターフェース１に接続する外部機器毎に、またはユーザーの要望毎にインターフェース制御情報７を作成する必要がある。
【００６４】
本実施の形態では、情報共有サーバー２３が、各ユーザーやサービス提供者が作成したインターフェース制御情報７を保持する。そして、情報処理装置１０ｆは、情報共有サーバー２３が保持しているインターフェース制御情報７をアップロード及びダウンロードすることが可能なソフトウェアツール２４を備えている。ユーザーやサービス提供者は、ソフトウェアツール２４により、他のユーザーやサービス提供者が作成したインターフェース制御情報７を必要に応じて用いることにより、必要なインターフェース制御情報７を速やかに作成することができる。
【００６５】
以上のように、本実施の形態では、情報共有サーバー２３が、ユーザーやサービス提供者がそれぞれ開発したインターフェース制御情報７を保持するようにした。このため、ユーザーやサービス提供者が、インターフェース制御情報７を共用することができ、外部機器毎またはユーザーの要望毎にインターフェース制御情報７を開発するよりも格段に早く、インターフェース制御情報７を作成することができる。
【００６６】
実施の形態１１．
以上の実施の形態１〜１０では、外部機器へ情報を入出力する際に、空調機制御インターフェース１（または、空調機制御インターフェース１ａ，１ｂ，１ｃ）を用いた。本実施の形態では、空気調和機の室内機または室外機が、実施の形態１〜１０で示した空調機制御インターフェース１（または、空調機制御インターフェース１ａ，１ｂ，１ｃ）に相当する機能を備える。
【００６７】
以上のように、本実施の形態では、空気調和機の室内機または室外機が、実施の形態１〜１０で示した空調機制御インターフェース１（または、空調機制御インターフェース１ａ，１ｂ，１ｃ）に相当する機能を備えるようにしたので、付属の空調機制御インターフェース１（または、空調機制御インターフェース１ａ，１ｂ，１ｃ）を別途製造する必要がなく、実施の形態１〜１０に比べ、空調システムを実現するための総コストを下げることができる。
【符号の説明】
【００６８】
１，１ａ，１ｂ，１ｃ  空調機制御インターフェース
２  インターフェース制御部
３  外部機器情報入出力部
４  空調機情報入出力部
５  外部記録媒体入出力部
６  外部記録媒体
７  インターフェース制御情報
８，１９  コンパイラ
１０，１０ａ，１０ｂ，１０ｃ，１０ｄ，１０ｅ，１０ｆ  情報処理装置
１１  テキストエディタ
１２  外部記録媒体入出力部
１３  変数情報
１４  制御論理記述情報
１５，１５ａ，１５ｂ，２２  専用ソフトウェアツール
２４  ソフトウェアツール
１６  情報処理装置入出力部
１７  サーバー
１８  ネットワーク
２０  補助記憶装置
２１  スイッチ
２３  情報共有サーバー
【図１】
0005808922.tif 000002
【図２】
0005808922.tif 000003
【図３】
0005808922.tif 000004
【図４】
0005808922.tif 000005
【図５】
0005808922.tif 000006
【図６】
0005808922.tif 000007
【図７】
0005808922.tif 000008
【図８】
0005808922.tif 000009
【図９】
0005808922.tif 000010
【図１０】
0005808922.tif 000011
【図１１】
0005808922.tif 000012
【図１２】
0005808922.tif 000013